(57)【要約】【課題】シートを誤った手順で除去してしまうことを低減したシート搬送装置及び画像形成装置を提供する。【解決手段】前扉６０（第１扉部）及び右扉６１（第２扉部）を有する装置本体と、前扉６０が開状態となることで装置本体に対して引き出し可能な引き出し搬送部（第１搬送ユニット）と、右扉６１が開状態となることで露出される本体搬送部２１（第２搬送ユニット）と、を備える。引き出し搬送部及び本体搬送部２１にシートが跨った状態において前扉６０が開き動作されると、連動機構７０によって右扉６１が連動して開く。連動機構７０は、前扉６０の開動作に連動して移動するスライド部材６５と、スライド部材６５の移動に応じて右扉６１を開かせる連動部７１と、を有している。【選択図】図４
2017191279.tif 000002
【特許請求の範囲】
【請求項１】
第１の側面に設けられ開閉可能な第１扉部と、前記第１の側面とは異なる第２の側面に設けられ開閉可能な第２扉部と、を有する装置本体と、
前記第１扉部が開状態となることで前記装置本体に対して引き出し可能に設けられ、シートを搬送する第１搬送ユニットと、
前記第２扉部が開状態となることで露出され、シートを搬送する第２搬送ユニットと、
前記第１搬送ユニット及び前記第２搬送ユニットにシートが跨った状態における前記第１扉部の開き動作に連動して、前記第２扉部を開かせる連動機構と、を備える、
ことを特徴とするシート搬送装置。
【請求項２】
前記連動機構は、
前記第１扉部の開き動作に連動して、前記第１搬送ユニット及び前記第２搬送ユニットにシートが跨った状態では第１位置に位置し、かつ前記第１搬送ユニット及び前記第２搬送ユニットにシートが跨っていない状態では第２位置に位置する移動部と、
前記移動部が前記第１位置に位置する状態で前記第２扉部を開かせ、前記移動部が前記第２位置に位置する状態で前記第２扉部を閉状態に保持する連動部と、を有する、
ことを特徴とする請求項１に記載のシート搬送装置。
【請求項３】
前記連動部は、
前記第２扉部を開かせる方向に付勢する扉付勢部材と、
前記第２扉部に設けられる第１係合部と、前記装置本体に設けられ前記第１係合部に係合可能な第２係合部と、を有し、前記第１係合部及び前記第２係合部が係合することで前記第２扉部を閉じた状態でロックするロック部と、を有する、
ことを特徴とする請求項２に記載のシート搬送装置。
【請求項４】
前記第２係合部は、前記第１係合部に係合する係合位置と、前記第１係合部に係合しない非係合位置と、の間を移動可能に構成され、
前記連動部は、前記第１扉部を介して、前記移動部と前記第２係合部とを連結する連結部を有する、
ことを特徴とする請求項３に記載のシート搬送装置。
【請求項５】
前記連結部は、前記移動部が前記第１位置に位置する状態において、前記第１扉部の開き動作に連動して、前記第２係合部を前記係合位置から前記非係合位置に移動させる、
ことを特徴とする請求項４に記載のシート搬送装置。
【請求項６】
シート搬送方向に直交する幅方向に延び、前記移動部を前記幅方向に案内するスライド軸と、
前記移動部を前記幅方向において前記第１扉部とは離れる方向に付勢するスライド付勢部と、を備え、
前記連動部は、前記第１位置に位置する前記移動部に当接し、前記幅方向において前記移動部が前記第１扉部に近づくことを規制する規制部を有する、
ことを特徴とする請求項４又は５に記載のシート搬送装置。
【請求項７】
前記移動部は、前記第１搬送ユニット及び前記第２搬送ユニットに跨ったシートに当接可能な当接部を有し、前記第１扉部の開き動作に伴って前記スライド軸に沿って前記スライド付勢部の付勢力に抗して前記幅方向に移動すると共に、前記当接部が前記第１搬送ユニット及び前記第２搬送ユニットに跨ったシートに当接して前記スライド軸を中心に回動して前記第１位置に位置する、
ことを特徴とする請求項６に記載のシート搬送装置。
【請求項８】
前記第２搬送ユニットに搬送されるシートを案内する案内ガイド部を備え、
前記スライド軸は、前記第１搬送ユニットと前記第２搬送ユニットとの間において、前記案内ガイド部の下方に配置され、
前記当接部は、前記第１扉部から離れる方向に向かって上り傾斜する傾斜面を有する、
ことを特徴とする請求項７に記載のシート搬送装置。
【請求項９】
前記移動部は、前記規制部に当接して弾性変形する弾性部を有する、
ことを特徴とする請求項６乃至８のいずれか１項に記載のシート搬送装置。
【請求項１０】
前記第２係合部が前記係合位置から前記非係合位置に移動する際に前記第２係合部から前記連結部に作用する負荷は、前記弾性部が前記規制部に当接して弾性変形する際に前記移動部から前記連結部に作用する負荷よりも低く設定されている、
ことを特徴とする請求項９に記載のシート搬送装置。
【請求項１１】
前記第２係合部が前記係合位置から前記非係合位置に移動する際に前記第２係合部から前記連結部に作用する負荷は、前記弾性部が前記規制部に当接するまでに前記移動部から前記連結部に作用する負荷よりも高く設定されている、
ことを特徴とする請求項９又は１０に記載のシート搬送装置。
【請求項１２】
前記連結部は、一端が前記移動部に固定され、他端が前記第２係合部に固定されるワイヤと、
前記第１扉部に設けられ、前記ワイヤが巻き掛けられる滑車と、を有する、
ことを特徴とする請求項４乃至１１のいずれか１項に記載のシート搬送装置。
【請求項１３】
前記連動部は、
前記第１係合部及び前記第２係合部の係合を解除する解除位置と、前記第１係合部及び前記第２係合部の係合を解除しない非解除位置と、の間を移動可能に構成される解除部と、
前記第１扉部に設けられ、前記第１扉部が閉状態の際に前記移動部の移動を規制する移動規制部と、を有し、
前記移動部は、前記第１扉部の開動作に連動して、前記移動部が前記第１位置に位置する状態で前記解除部を前記解除位置に位置させる、
ことを特徴とする請求項３に記載のシート搬送装置。
【請求項１４】
前記移動部は、シートの搬送領域内に設けられて前記第１搬送ユニット及び前記第２搬送ユニットに跨ったシートに当接可能な当接部を有し、シート搬送方向に直交する幅方向に移動可能かつ回動可能に構成される、
ことを特徴とする請求項１３に記載のシート搬送装置。
【請求項１５】
前記連動部は、前記移動部を前記幅方向において前記第１扉部に近づくように付勢するスライド付勢部を有し、
前記移動部は、前記第１扉部の開動作に連動して、前記当接部が前記第１搬送ユニット及び前記第２搬送ユニットに跨ったシートに当接して前記第１位置に位置した状態で前記スライド付勢部によって前記幅方向に移動する、
ことを特徴とする請求項１４に記載のシート搬送装置。
【請求項１６】
前記第２搬送ユニットに搬送されるシートを案内する案内ガイド部を備え、
前記当接部は、前記第１扉部が閉状態の際には前記案内ガイド部から退避し、前記第１扉部が開状態の際には前記案内ガイド部に進入する、
ことを特徴とする請求項１４又は１５に記載のシート搬送装置。
【請求項１７】
請求項１乃至１６のいずれか１項に記載のシート搬送装置と、
前記シート搬送装置によって搬送されるシートに画像を形成する画像形成部と、備える、
ことを特徴とする画像形成装置。
【請求項１８】
前記第１搬送ユニットは、前記画像形成部によってシートに形成された画像を定着させる定着部を有する、
ことを特徴とする請求項１７に記載の画像形成装置。
【発明の詳細な説明】
【技術分野】
【０００１】
本発明は、シートを搬送するシート搬送装置及びこれを備える画像形成装置に関する。
【背景技術】
【０００２】
プリンタ、ファクシミリ、複写機等の画像形成装置では、装置内で紙詰まりが発生した場合、画像形成装置の動作を停止し、ユーザによって紙詰まりの処理をしてもらうのが一般的であった。
【０００３】
また、例えばシートを搬送する搬送装置の一部を装置本体から引き出し可能に構成し、紙詰まりの処理やメンテナンスを容易にした画像形成装置が知られている。ここで、引き出し可能な搬送装置を引き出し搬送装置、装置本体に残る搬送装置を本体搬送装置とする。この画像形成装置では、引き出し搬送装置と本体搬送装置との間でシートが跨った状態で引き出し搬送装置を引き出すと、シートが破れたり、シートに激しく皺が出来たりしてしまう。この場合、引き出し搬送装置を引き出す前に引き出し搬送装置と本体搬送装置との間で跨ったシートを除去する必要がある。
【０００４】
従来、装置内で紙詰まりを起こしたシートを複数のセンサによって検出し、表示部に紙詰まりを起こしたことを表示する画像形成装置が提案されている（特許文献１参照）。この表示部は、装置本体、定着部、給送カセット及び手差しトレイ等の各場所に応じた紙詰まりを表示する複数のＬＥＤを有しており、ユーザにシート除去のための手順を示している。
【先行技術文献】
【特許文献】
【０００５】
【特許文献１】２００３−１９２１８８号公報
【発明の概要】
【発明が解決しようとする課題】
【０００６】
しかしながら、特許文献１に記載の画像形成装置において、ユーザによっては表示部に表示されたシート除去の手順に気づかず、誤った手順で紙詰まり処理を行ってしまう場合があった。
【０００７】
例えば、引き出し搬送装置と本体搬送装置との間に跨ったシートを除去するためには、本体搬送装置を開放するための第１扉を開放して、このシートを除去する必要がある。しかしながら、ユーザによっては、引き出し搬送装置を引き出すための第２扉を最初に開放して、引き出し搬送装置を引き出してしまう場合があった。
【０００８】
そこで、本発明は、第１搬送ユニットと第２搬送ユニットとの間に跨ったシートを誤った手順で除去してしまうことを低減し、上述した課題を解決したシート搬送装置及び画像形成装置を提供することを目的とする。
【課題を解決するための手段】
【０００９】
本発明は、シート搬送装置において、第１の側面に設けられ開閉可能な第１扉部と、前記第１の側面とは異なる第２の側面に設けられ開閉可能な第２扉部と、を有する装置本体と、前記第１扉部が開状態となることで前記装置本体に対して引き出し可能に設けられ、シートを搬送する第１搬送ユニットと、前記第２扉部が開状態となることで露出され、シートを搬送する第２搬送ユニットと、前記第１搬送ユニット及び前記第２搬送ユニットにシートが跨った状態における前記第１扉部の開き動作に連動して、前記第２扉部を開かせる連動機構と、を備える、ことを特徴とする。
【発明の効果】
【００１０】
本発明によると、第１搬送ユニットと第２搬送ユニットとの間にシートが跨った状態で第１扉部を開くと、これに連動して第２扉部も開く。このため、第２扉部側からシートを除去する必要があることをユーザに認識させることができ、誤った手順でシートを除去することを低減することができる。
【図面の簡単な説明】
【００１１】
【図１】第１の実施の形態に係るプリンタを示す全体概略図。
【図２】引き出し搬送部を引き出した状態のプリンタを示す斜視図。
【図３】制御部の制御ブロック図。
【図４】（ａ）は連動機構を示す斜視図、（ｂ）は前扉が閉じた状態におけるスライド部材の姿勢を示す側面図、（ｃ）は前扉の開き動作が完了した際のスライド部材の位置を示す斜視図。
【図５】（ａ）は前扉が閉じた状態のロック部を示す斜視図、（ｂ）は前扉が開いた状態のロック部を示す斜視図。
【図６】ロック部によるロックが解除された際の右扉の様子を示す斜視図。
【図７】（ａ）はスライド部材に作用するシートからの抗力を示す側面図、（ｂ）は板バネと抵抗ブロックとが当接した状態を示す側面図、（ｃ）は板バネが撓んだ状態を示す側面図。
【図８】第２の実施の形態に係る連動機構を示す斜視図。
【図９】ストッパによってフラグ部の移動が規制された状態を示す斜視図。
【図１０】解除レバー及びロック部を示す斜視図。
【図１１】（ａ）は前扉が閉じた状態におけるフラグ部を示す側面図、（ｂ）はフラグ部とシートとが当接した状態を示す側面図、（ｃ）はフラグ部がシートと当接せずに移動した状態を示す側面図。
【図１２】（ａ）は前扉が閉じた状態における解除レバーの位置を示す平面図、（ｂ）は前扉が開いてロック部のロックが解除される状態を示す平面図、（ｃ）は前扉及び右扉が飛来状態を示す平面図。
【発明を実施するための形態】
【００１２】
＜第１の実施の形態＞
〔全体構成〕
まず、本発明の第１の実施の形態について説明する。第１の実施の形態に係るプリンタ１０（画像形成装置）は、電子写真方式のレーザビームプリンタである。プリンタ１０は、図１に示すように、シートを給送する給送部１２ａ，１２ｂと、給送部１２ａ，１２ｂから給送されたシートを搬送する本体搬送部２１（第２搬送ユニット）と、を備えている。また、プリンタ１０は、装置本体２０に対して引き出し可能に設けられ、シートを搬送する引き出し搬送部１３（第１搬送ユニット）と、搬送されるシートに画像を形成する作像部１１と、制御部１４と、を有している。
【００１３】
給送部１２ａ，１２ｂは、互いに異なるサイズのシートＰを収納するカセット１６ａ，１６ｂをそれぞれ有している。給送部１２ａ，１２ｂから給送されたシートＰは、縦パスローラ対１２ｃ，１２ｄの一方又は双方によって本体搬送部２１に搬送される。本体搬送部２１は、シート搬送パスＨ１上のシートを搬送する搬送ローラ対５６と、両面搬送パスＨ２上のシートを搬送する搬送ローラ対５５と、を有している。
【００１４】
作像部１１は、感光ドラム１５と、感光ドラム１５の表面を一様に帯電させる帯電器２３ａと、帯電した感光ドラム１５の表面に画像信号に応じたレーザを照射して静電潜像を形成させるスキャナ部２３ｂと、を有している。また、作像部１１は、この静電潜像を現像してトナー像を形成する現像部２３ｃと、感光ドラム１５の表面上に残ったトナーを回収するクリーニング部２３ｄと、を有している。
【００１５】
引き出し搬送部１３は、レジスト装置１７と、転写ユニット３０と、転写ベルト移動機構４０と、定着装置１８（定着部）と、排出搬送部２８と、両面搬送部２６と、を有している。レジスト装置１７は、シートの斜行を補正すると共に所定のタイミングでシートを搬送するレジストレーションローラ対２２ａ，２２ｂを有している。転写ユニット３０は、駆動ローラ３３及び張架ローラ３４に巻き掛けられる転写ベルト３１を有しており、転写ベルト移動機構４０は、カム駆動モータＭによって回転駆動される転写ベルト昇降カム２７を有している。
【００１６】
定着装置１８は、加熱ローラ１９ａ及び加圧ローラ１９ｂを有しており、これら加熱ローラ１９ａ及び加圧ローラ１９ｂによって定着ニップＮ２が形成されている。排出搬送部２８は、シートを排出ローラ対２８ａ又は両面搬送部２６の搬送ローラ対２８ｂのいずれかに案内する案内部材２５を有している。両面搬送部２６は、シートを本体搬送部２１に案内する両面搬送パスＨ２と、シートを反転させるための反転搬送パスＨ３と、シートを搬送する複数の搬送ローラ対と、を有している。
【００１７】
次に、プリンタ１０による画像形成動作について説明する。給送部１２ａ，１２ｂから本体搬送部２１を通ってレジスト装置１７に搬送されたシートＰは、レジストレーションローラ対２２ａ，２２ｂに先端が突き当てられて、斜行が補正される。そして、シートＰは、所定のタイミングで感光ドラム１５及び転写ローラ３５によって形成される転写ニップＮ１（画像形成部）に搬送される。転写ニップＮでは、転写ローラ３５にトナー像とは逆極性の電圧が印加されることで、シートＰに感光ドラム１５上に形成されたトナー像が転写される。なお、転写ベルト３１は、転写ベルト昇降カム２７によって、画像形成タイミングやシート搬送タイミングに応じて、感光ドラム１５に対して接離する。
【００１８】
トナー像が転写されたシートＰは、転写ベルト３１に静電吸着されつつ定着装置１８に搬送され、加熱ローラ１９ａ及び加圧ローラ１９ｂによってトナー像が定着される。更にシートＰは排出搬送部２８の案内部材２５によって排出ローラ対２８ａに搬送されて、機外に排出される。
【００１９】
シートを反転させた状態で機外に排出する場合には、シートＰは案内部材２５によって両面搬送部２６の反転搬送パスＨ３に案内され、反転ローラ対２９によってスイッチバックされて排出ローラ対２８ａに搬送される。シートの両面に画像を形成する場合には、シートＰは、反転搬送パスＨ３に搬送された後に両面搬送パスＨ２に搬送され、転写ニップＮ１によって裏面にも画像が形成される。
【００２０】
また、プリンタ１０の前側面１０Ａ（第１の側面）には、図２に示すように、前扉６０（第１扉部）が開閉可能に設けられており、前側面とは異なる右側面１０Ｂ（第２の側面）には、右扉６１（第２扉部）が開閉可能に設けられている。引き出し搬送部１３は、前扉６０が開状態となることで装置本体２０から引き出すことができ、本体搬送部２１は、右扉６１が開状態となることで外方に露出し、紙詰まり処理等のメンテナンスを行うことができる。なお、前扉６０は、不図示のオイルダンパによって開状態で保持することができる。
【００２１】
本体搬送部２１と引き出し搬送部１３とは、図１に示すように、シート搬送パスＨ１上の第１境界部５４と両面搬送パスＨ２上の第２境界部５３において、互いに離間することができる。第２境界部５３から第１境界部５４までの搬送路の長さと、転写ニップＮ１から定着ニップＮ２までの距離とは、Ａ４サイズのシートの長さよりも長く設定されている。
【００２２】
シートＰが第１境界部５４又は第２境界部５３において本体搬送部２１と引き出し搬送部１３との間に跨った状態で、引き出し搬送部１３が装置本体２０から引き出されると、シートＰが破れたり激しく皺になったりしてしまう。このため、本実施の形態では、第２境界部５３において紙詰まりが発生すると、強制的にレジスト装置１７にシートＰを送り込むように制御されている。これにより、小サイズのシートを第１境界部５４に比して紙詰まり処理しにくい第２境界部５３において、シートが停止してしまうことを防止することができる。
【００２３】
また、プリンタ１０は、図１及び図３に示すように、監視センサ４１及びシート搬送センサ４２を有しており、監視センサ４１は、定着装置１８など装置各部の電圧や温度等を検出する。シート搬送センサ４２は、シート搬送経路内のシート通過タイミングやシートの位置を検出する。
【００２４】
制御部１４は、画像形成信号に加え、監視センサ４１及びシート搬送センサ４２の検出信号に基づいて、装置各部の電圧や温度、シート搬送経路内各部の動作、及びシート搬送経路内の各搬送ローラを駆動する搬送モータ（図示せず）の制御を行う。また、制御部１４は、監視センサ４１及びシート搬送センサ４２の検出結果から装置各部の異常や紙詰まりを判断して、状態に応じて復帰処理や画像形成動作の停止処理を行う。
【００２５】
次に、本発明の要部である連動機構７０について説明する。連動機構７０は、図４に示すように、本体搬送部２１に固定されたスライド軸６３に沿って移動可能なスライド部材６５（移動部）と、スライド部材６５の位置に応じて右扉６１を前扉６０に連動して開かせる連動部７１と、を有している。
【００２６】
スライド軸６３は、シート搬送方向に直交するシートの幅方向に延び、スライド部材６５を幅方向に案内する。また、スライド軸６３は、スライド部材６５を回動可能に支持している。スライド部材６５は、スライドバネ６４によって、幅方向において前扉６０から離れる方向に付勢されており、図４（ａ）に示すように、前扉６０が閉じた状態では本体搬送部２１のフレーム部材２３に突き当たって待機位置で停止している。なお、スライド部材６５は、スライド軸６３を中心とする回動方向において、自重により図４に示す第２位置で保持されている。
【００２７】
スライド部材６５は、第１境界部５４において停止したシートに当接可能な当接部６６と、止め輪６７と、板バネ６８と、を有している。当接部６６は、前扉６０から離れる方向に向かって上り傾斜する傾斜面６６ａを有している。スライド部材６５は、待機位置においてはシート搬送領域外に位置しており、図４（ｃ）に示すようにスライドバネ６４（スライド付勢部）の付勢力に抗して前扉６０に近づくと、第１境界部５４において停止したシートに当接可能となる。
【００２８】
連動部７１は、右扉６１を閉じた状態でロックするロック部７２と、前扉６０を介してスライド部材６５と後述するロック部７２の係合爪７２ｂ（図５参照）とを連結する連結部７３と、右扉６１を開かせる方向に付勢する扉バネ７４と、を有している。また、連動部７１は、図４（ｂ）に示すように、スライド部材６５の板バネ６８に当接可能な抵抗ブロック７６（規制部）を有している。
【００２９】
ロック部７２は、図５に示すように、右扉６１に設けられるロック輪７２ａと、装置本体２０に設けられロック輪７２ａに対して係合可能な係合爪７２ｂと、係合爪７２ｂがロック輪７２ａに係合するように付勢するロックバネ７２ｄと、を有している。係合爪７２ｂは、軸７２ｃを中心に回動可能であり、止め輪７２ｅが形成されている。
【００３０】
係合爪７２ｂ（第２係合部）がロック輪７２ａ（第１係合部）に係合する係合位置からロック輪７２ａに係合しない非係合位置に移動すると、右扉６１のロックが解除され、右扉６１は、図６に示すように、扉バネ７４の付勢力によって開き動作する。右扉６１には、シート搬送パスＨ１の一部である上部ガイド２１ａ（案内ガイド部）が固定されており、上部ガイド２１ａは、下部ガイド２１ｂ（案内ガイド部）に対向している。このため、右扉６１が開かれると、上部ガイド２１ａと下部ガイド２１ｂとが離間し、上部ガイド２１ａと下部ガイド２１ｂとの間の紙詰まりを処理することができる。
【００３１】
連結部７３は、一端がスライド部材６５の止め輪６７に固定され、他端が係合爪７２ｂの止め輪７２ｅに固定されるワイヤＷと、前扉６０に固定されワイヤＷが巻き掛けられる滑車７５と、を有している。
【００３２】
次に、前扉６０が開かれた際の各部の動作について説明する。まず、第１境界部５４にシートが停止している時、すなわち本体搬送部２１と引き出し搬送部１３との間にシートが跨った状態で紙詰まりが起こった時について説明する。
【００３３】
前扉６０がユーザによって開かれると、滑車７５がワイヤＷを装置手前側に引っ張る。本実施の形態では、スライド部材６５とスライド軸６３との間には例えば１００μｍの隙間が設けられており、スライド部材６５とスライド軸６３との間の摩擦は、ロックバネ７２ｄの付勢力よりも十分に小さく設定されている。このため、滑車７５によってワイヤＷが引っ張られると、ワイヤＷの他端が連結された係合爪７２ｂは動かず、スライド部材６５が図４（ａ）の矢印Ｆ方向に移動する。
【００３４】
すると、スライド部材６５の当接部６６は、シートの幅方向における端部に当接する。このとき、当接部６６には傾斜面６６ａが形成されているため、スライド部材６５は、矢印Ｆ方向に移動しつつ、シートの下に潜り込むように回動する。このようにシートとスライド部材６５とが当接すると、スライド部材６５は、図７（ａ）に点線で示すようにシートを持ち上げようとする。このとき、シートは、搬送ローラ対５６及びレジストレーションローラ対２２ａ，２２ｂによって所定の加圧力Ｆ３で挟持されている。このため、スライド部材６５には、加圧力Ｆ３及びこれらのローラ対の不図示のベアリングにおける転がり摩擦によって決定される抗力Ｆ２が作用する。
【００３５】
スライド部材６５とスライド軸６３との間には、上述したように僅かな隙間が設けられており、スライド部材６５を回動させるために必要な力Ｆ１は、抗力Ｆ２よりも小さく設定されている（Ｆ１＜Ｆ２）。一例として、レジストレーションローラ対２２ａ，２２ｂ及び搬送ローラ対５６の加圧力Ｆ３を１０００ｇｆ、ベアリングの転がり摩擦の摩擦係数を０．０５とすると、抗力Ｆ２は、
１０００ｇｆ×０．０５×２（カ所）＝１００ｇｆとなる。
【００３６】
そして、スライド部材６５とスライド軸６３との間の隙間を１００μｍに設定することでＦ１を１０ｇｆに設定する。これにより、スライド部材６５は、シートＰと当接することで確実に回動することができる。
【００３７】
また、スライド軸６３は、引き出し搬送部１３と本体搬送部２１との間において、上部ガイド２１ａ及び下部ガイド２１ｂよりも下方に配置されている。当接部６６の傾斜面６６ａは、当接部６６がシートに当接していない状態（例えば図４（ｂ）（ｃ）に示す状態）で、下端が下部ガイド２１ｂよりも下方に位置し、上端が上部ガイド２１ａよりも上方に位置している。このため、当接部６６の傾斜面６６ａとシートＰの端部とが確実に当接し、スライド部材６５は確実に回動することができる。
【００３８】
スライド部材６５がシートＰに当接して図７（ｂ）に示す第１位置まで回動し、かつスライド軸６３に沿って幅方向にスライド移動すると、板バネ６８が抵抗ブロック７６に当接する。この状態でスライド部材６５が更にワイヤＷによって引っ張られて前扉６０に近づくと、図７（ｃ）に示すように板バネ６８が撓む（弾性変形する）。この撓みが所定量に達すると、スライド部材６５は抵抗ブロック７６を乗り越えて更に前扉６０に近づく方向に移動する。この時、板バネ６８を屈曲させて板バネ６８と抵抗ブロック７６との間に発生する摩擦力を力Ｆ４と定義する。
【００３９】
また、係合爪７２ｂが係合位置から非係合位置に移動するために、ロックバネ７２ｄの付勢力に抗して回動する際の力を力Ｆ５と定義する。そして、板バネ６８の撓み量が大きくなるに従って力Ｆ４が力Ｆ５よりも大きくなると、ワイヤＷはスライド部材６５の止め輪６７ではなく、係合爪７２ｂの止め輪７２ｅを引っ張り始める。
【００４０】
力Ｆ５は、扉バネ７４（扉付勢部材）によって係合爪７２ｂとロック輪７２ａとの間に発生する摩擦力と、ロックバネ７２ｄを縮める力の合力である。一例として、扉バネ７４の弾性力を５００ｇｆに設定すると、金属材の係合爪７２ｂとＰＯＭ材のロック輪７２ａとの間の摩擦係数は一般的に０．２程度であり、摩擦力は１００ｇｆとなる。更に、係合爪７２ｂが係合位置から非係合位置に移動する際にロックバネ７２ｄを縮めるために必要な力を５０ｇｆに設定すると、力Ｆ５は１５０ｇｆとなる。従って、力Ｆ４が１５０ｇｆよりも大きくなると、係合爪７２ｂが非係合位置に移動し、ロック部７２によるロックが解除される。
【００４１】
すなわち、係合爪７２ｂが係合位置から非係合位置に移動する際に係合爪７２ｂからワイヤＷに作用する負荷は、板バネ６８が抵抗ブロック７６に当接するまでにスライド部材６５からワイヤＷに作用する負荷よりも高く設定されている。このため、前扉６０が開き動作された当初は、前扉６０の開き動作に連動して、スライド部材６５が前扉６０及び抵抗ブロック７６に近づく方向に移動する。
【００４２】
また、係合爪７２ｂが係合位置から非係合位置に移動する際に係合爪７２ｂからワイヤＷに作用する負荷は、板バネ６８が抵抗ブロック７６に当接して弾性変形する際にスライド部材６５からワイヤＷに作用する負荷よりも低く設定されている。このため、板バネ６８が所定量撓んだ後に前扉６０に固定された滑車７５によってワイヤＷが引っ張られると、係合爪７２ｂが係合位置から非係合位置に移動する。
【００４３】
係合爪７２ｂが非係合位置においてワイヤＷに対して移動不能となると、再度スライド部材６５が前扉６０に向けてスライド軸６３に沿って移動する。そして、板バネ６８が抵抗ブロック７６を乗り越え、スライド部材６５は、図４（ｃ）に示す中央位置まで移動する。これにより、前扉６０の開き動作が完了する。なお、本実施の形態では、板バネ６８が抵抗ブロック７６を乗り越える際の力Ｆ４を３００ｇｆに設定している。
【００４４】
また、スライド部材６５の板バネ６８が抵抗ブロック７６に当接するか否かは、スライド部材６５がシートＰに当接して第１位置に回動するか、シートＰに当接しないで第２位置に位置するか、によって決まる。そして、連動部７１は、スライド部材６５が第１位置に位置している状態で右扉６１を開かせ、スライド部材６５が第２位置に位置している状態で右扉６１を閉状態に保持する。
【００４５】
右扉６１が前扉６０に連動して開かれ、ユーザによって第１境界部５４に停止しているシートＰが除去されると、スライド部材６５は、自重によって第１位置から第２位置に回動する。更に、ユーザによる前扉６０の閉動作及びスライドバネ６４の付勢力により、スライド部材６５は、抵抗ブロック７６に当接することなく図４（ａ）に示す位置に復帰する。
【００４６】
次いで、第１境界部５４にシートが停止していない時、すなわち本体搬送部２１と引き出し搬送部１３との間にシートが跨っていない状態で前扉６０を開動作した際の連動機構７０の動きについて説明する。スライド部材６５は、前扉６０の開動作に連動して、スライド部材６５が前扉６０に近づく方向に移動する。しかし、スライド部材６５はシートＰに当接しないために回動せずに第２位置に位置したままスライド軸６３に沿ってスライド移動する。このため、スライド部材６５の板バネ６８と抵抗ブロック７６とが当接せず、力Ｆ４が力Ｆ５よりも大きくなることはない。
【００４７】
すると、ロック部７２の係合爪７２ｂがワイヤＷによって回動することがないため、右扉６１が閉状態でロックされたままスライド部材６５が図４（ｃ）に示す位置まで移動する。これにより、前扉６０の開き動作が完了する。ユーザは、引き出し搬送部１３を引き出して引き出し搬送部１３内の紙詰まりを処理したのち、前扉６０を閉じ、スライド部材６５は、図４（ａ）に示す位置に復帰する。
【００４８】
また、シートＰの紙詰まりが発生していない通常搬送時には、スライド部材６５は、図４（ａ）に示すようにシート搬送領域外に位置しているため、シートＰの搬送を妨げることはない。
【００４９】
以上のように、本実施の形態によれば、第１境界部５４にシートが停止している状態においては、前扉６０の開動作に連動して、右扉６１を開くことができ、ユーザに右扉６１側から紙詰まり処理をするように促すことができる。これにより、誤った手順でシートを除去することを低減して、シートが破れたり、破れたシートが装置本体２０内に残ったりすることを防止でき、メンテナンス性を向上することができる。
【００５０】
また、右扉６１を前扉６０に連動して開ける動作において、メカ的な構成を適用してセンサや動力源を設けていないためコストダウンすることができる。また、タブシートのための専用のセンサを設ける必要もなく、スリープ時であっても右扉６１の連動動作を行うことができる。
【００５１】
なお、連結部７３は、ワイヤ及び滑車に限らず、リンク機構等によって実現してもよい。また、板バネ６８に代えて、ゴムや樹脂等の他の弾性部材を設けてもよい。また、本実施の形態において適用した力の数値は、一例にすぎず、これに限定されるものではない。
【００５２】
また、本実施の形態では、板バネ６８が抵抗ブロック７６を乗り越え可能な構成としたが、乗り越え不能に構成してもよい。すなわち、シートＰに当接して第１位置に位置するスライド部材６５が当接し、かつシートＰに当接せずに第２位置に位置するスライド部材６５が当接しないストッパを設けてもよい。これにより、スライド部材６５がストッパに当接すると、ロック部７２のロックが解除される。
【００５３】
＜第２の実施の形態＞
次いで、本発明の第２の実施の形態について説明するが、第１の実施の形態と同様の構成については、図示を省略、又は図に同一符号を付して説明する。右扉６１を前扉６０の開動作に連動して開放する連動機構１７０は、図８に示すように、フラグ部１６５（移動部）と、連動部１７１と、を有している。
【００５４】
フラグ部１６５は、スライド軸６３にスライド移動可能かつ回動可能に支持されており、検出フラグ１６６（当接部）と、スライド軸６３の径方向に突出する突出部８０と、を有している。検出フラグ１６６は、幅方向において、シート搬送領域内に配置され、突出部８０は、後述する解除レバー９０の一端部９０ａに当接可能に構成されている。また、フラグ部１６５は、スライドバネ１６４によって前扉６０に近づく方向に付勢されていると共に、不図示のねじりコイルバネにより矢印Ｇ方向に付勢されている。
【００５５】
連動部１７１は、右扉６１を閉状態でロックするロック部１７２と、解除レバー９０（解除部）と、扉バネ７４と、ストッパ９１（図９参照）と、を有している。ロック部１７２は、図９及び図１０に示すように、右扉６１のフレーム９２に回動可能に支持されるロック輪９３（第１係合部）と、装置本体２０に固定されるロック爪９４（第２係合部）と、を有している。ロック輪９３は、コイルバネ９５によってロック爪９４に係合するように付勢されている。
【００５６】
解除レバー９０は、回動軸９０ｃを中心に回動可能に構成され、回動軸９０ｃの一端側に延びる一端部９０ａと、他端側に延びる他端部９０ｂと、を有している。また、解除レバー９０は、コイルバネ９０ｄによって図１０に示す姿勢となるように付勢されており、他端部９０ｂは、ロック輪９３に当接可能に構成されている。解除レバー９０は、一端部９０ａが突出部８０に押圧されることで、他端部９０ｂがロック輪９３とロック爪９４との係合を解除する解除位置と、他端部９０ｂがロック輪９３とロック爪９４との係合を解除しない非解除位置と、の間を回動可能である。
【００５７】
ストッパ９１（移動規制部）は、前扉６０に固定されており、フラグ部１６５の突出部８０に当接することで、フラグ部１６５のスライド移動及び回動を規制している。前扉６０が閉状態の際には、フラグ部１６５は、図１１（ａ）及び図１２（ａ）に示す位置に位置している。この時、フラグ部１６５の検出フラグ１６６は、上部ガイド２１ａ及び下部ガイド２１ｂによって形成されるシート搬送パスＨ１に突出していない。また、突出部８０は、幅方向において、僅かに解除レバー９０の一端部９０ａから離間している。
【００５８】
次に、前扉６０が開かれた際の各部の動作について説明する。まず、第１境界部５４にシートが停止している時、すなわち本体搬送部２１Ａと引き出し搬送部１３との間にシートが跨った状態で紙詰まりが起こった時について説明する。
【００５９】
前扉６０がユーザによって開かれると、前扉６０に固定されたストッパ９１の傾斜面９１ａがフラグ部１６５から退避する。すると、フラグ部１６５は、不図示のねじりコイルバネの付勢力によってスライド軸６３を中心に回動する。これにより、フラグ部１６５は、シート搬送パスＨ１に進入して、図１１（ｂ）に示すように、検出フラグ１６６がシートＰのシート面に当接する第１位置に位置する。フラグ部１６５が第１位置に位置する状態では、突出部８０は、解除レバー９０の一端部９０ａに対して幅方向から視て重なっている。
【００６０】
これと同時に、フラグ部１６５は、図１２（ｂ）に示すように、スライドバネ１６４の付勢力によってスライド軸６３に沿って幅方向に移動し、突出部８０がコイルバネ９０ｄ，９５の付勢力に抗して解除レバー９０の一端部９０ａを押圧する。これにより、解除レバー９０が非解除位置から解除位置へと移動し、ロック爪９４とロック輪９３との係合が解除される。すると、右扉６１は、図１２（ｃ）に示すように、扉バネ７４の付勢力によって開状態となる。
【００６１】
シートＰが除去されると、ユーザは、右扉６１を閉じた後、前扉６０を閉じる。前扉６０が閉じられると、ストッパ９１の傾斜面９１ａによって突出部８０が押圧され、フラグ部１６５が図９に示す状態に復帰する。
【００６２】
一方、第１境界部５４にシートＰが停止していない場合に前扉６０がユーザによって開かれると、フラグ部１６５は、図１１（ｃ）に示すように、検出フラグ１６６がシート搬送パスＨ１に突出する第２位置に位置する。この時、突出部８０は、解除レバー９０の一端部９０ａに対して幅方向から視て重なっていない。このため、前扉６０が開かれても突出部８０によって解除レバー９０の一端部９０ａが押圧されず、ロック爪９４とロック輪９３との係合は解除されない。
【００６３】
以上のように、第２の実施の形態では、シートＰを検出する検出フラグ１６６をシート搬送パスＨ１の略中央に配置することで、シートＰのシート面と検出フラグ１６６とを接触させることができる。これにより、第１の実施の形態のようにシートＰの端部とスライド部材６５とを接触させる場合に比して、シートＰへのダメージを低減させることができる。よって、シートＰの再利用が可能となり、ユーザの利便性を向上することができる。また、シートの剛度に依存しなくなるため、薄紙でも確実に右扉６１を開放することができる。
【符号の説明】
【００６４】
１０：画像形成装置（プリンタ）／１０Ａ：第１の側面（前側面）／１０Ｂ：第２の側面（右側面）／１３：第１搬送ユニット（引き出し搬送部）／１８：定着部（定着装置）／２０：装置本体／２１：第２搬送ユニット（本体搬送部）／２１ａ，２１ｂ：案内ガイド部（上部ガイド、下部ガイド）／６０：第１扉部（前扉）／６１：第２扉部（右扉）／６３：スライド軸／６４，１６４：スライド付勢部（スライドバネ）／６５：移動部（スライド部材）／６６：当接部／６６ａ：傾斜面／６８：弾性部（板バネ）／７０，１７０：連動機構／７１，１７１：連動部／７２，１７２：ロック部／７２ａ：第１係合部（ロック輪）／７２ｂ：第２係合部（係合爪）／７３：連結部／７４：扉付勢部材（扉バネ）／７５：滑車／７６：規制部（抵抗ブロック）／９０：解除部（解除レバー）／９１：移動規制部（ストッパ）／９３：第１係合部（ロック輪）／９４：第２係合部（ロック爪）／１６５：移動部（フラグ部）／１６６：当接部（検出フラグ）／Ｎ１：画像形成部（転写ニップ）／Ｐ：シート／Ｗ：ワイヤ
【図１】
2017191279.tif 000003
【図２】
2017191279.tif 000004
【図３】
2017191279.tif 000005
【図４】
2017191279.tif 000006
【図５】
2017191279.tif 000007
【図６】
2017191279.tif 000008
【図７】
2017191279.tif 000009
【図８】
2017191279.tif 000010
【図９】
2017191279.tif 000011
【図１０】
2017191279.tif 000012
【図１１】
2017191279.tif 000013
【図１２】
2017191279.tif 000014